(57)【要約】      （修正有）【課題】使用者の要求を満足するように照明を消灯できるレンジフードを提供する。【解決手段】フード２と、排気ファン３と、照明５と、前記照明を点灯、消灯、前記排気ファンを駆動する運転制御部、および照明の点灯、消灯を行う照明スイッチ４３を有する。運転制御部は、第１の制御モードと第２の制御モードを備え、照明スイッチは所定の切り替え操作を行うことで前記各制御モードを切り替え可能とする。第１の制御モードは、前記排気ファンが駆動している状態で、前記レンジフードが運転状態で点灯している照明を、レンジフード運転停止信号を受信してから消灯遅延時間経過後に前記排気ファンの停止と同時に自動で消灯し、第２の制御モードは、前記レンジフードが運転状態で点灯している照明を、レンジフード運転停止信号に関係なく手動操作で消灯する。切替え操作により第１の制御モードと第２の制御モードのいずれかの制御モードを選択して照明を消灯する。【選択図】図１
2020128861.tif 000002
【特許請求の範囲】
【請求項１】
フードと、排気ファンと、照明と、前記照明を点灯、消灯、前記排気ファンを駆動する運転制御部、および照明の点灯、消灯を行う照明スイッチを有したレンジフードであって、
前記運転制御部は、第１の制御モードと第２の制御モードを備えると共に、前記照明スイッチは所定の切り替え操作を行うことで前記各制御モードを切り替え可能とするものであって、
前記第１の制御モードは、前記排気ファンが駆動している状態で、前記レンジフードが運転状態で点灯している照明を、レンジフード運転停止信号を受信してから消灯遅延時間経過後に前記排気ファンの停止と同時に自動で消灯し、
前記第２の制御モードは、前記レンジフードが運転状態で点灯している照明を、レンジフード運転停止信号に関係なく手動操作で消灯し、
切替え操作により前記第１の制御モードと前記第２の制御モードのいずれかの制御モードを選択して照明を消灯するようにしたことを特徴とするレンジフード。
【請求項２】
フードと、排気ファンと、照明と、前記照明を点灯、消灯、前記排気ファンを駆動する運転制御部、および照明の点灯、消灯を行う照明スイッチを有したレンジフードであって、
前記運転制御部は、第２の制御モードと第３の制御モードを備えると共に、前記照明スイッチは所定の切替え操作を行うことで前記各制御モードを切り替え可能とするものであって、
前記第２の制御モードは、前記レンジフードが運転状態で点灯している照明を、レンジフード運転停止信号に関係なく手動操作で消灯し、
前記第３の制御モードは、前記レンジフードが運転状態で点灯している照明を、レンジフード運転停止信号を受信すると直ちに自動で消灯し、
切替え操作により前記第２の制御モードと前記第３の制御モードのいずれかの制御モードを選択して照明を消灯するようにしたことを特徴とするレンジフード。
【請求項３】
フードと、排気ファンと、照明と、前記照明を点灯、消灯、前記排気ファンを駆動する運転制御部、および照明の点灯、消灯を行う照明スイッチを有したレンジフードであって、
前記運転制御部は、第１の制御モードと第２の制御モードと第３の制御モードを備えると共に、前記照明スイッチは所定の切替え操作を行うことで前記各制御モードを切り替え可能とするものであって、
前記第１の制御モードは、前記排気ファンが駆動している状態で、前記レンジフードが運転状態で点灯している照明を、レンジフード運転停止信号を受信してから消灯遅延時間経過後に前記排気ファンの停止と同時に自動で消灯し、
前記第２の制御モードは、前記レンジフードが運転状態で点灯している照明を、レンジフード運転停止信号に関係なく手動操作で消灯し、
前記第３の制御モードは、前記レンジフードが運転状態で点灯している照明を、レンジフード運転停止信号を受信すると直ちに自動で消灯し、
切替え操作により前記第１の制御モードと前記第２の制御モードと前記第３の制御モードのいずれか一つの制御モードを選択して照明を消灯するようにしたことを特徴とするレンジフード。
【請求項４】
前記照明スイッチによる前記各制御モードの切り替えに伴って、前記各制御モード毎に異なる設定音を発生する設定音発生手段を備えたことを特徴とする請求項１〜３のいずれかに記載されたレンジフード。
【請求項５】
前記照明スイッチは所定の切替え操作を行うことで、前記各制御モードが順送りで切替わることを特徴とする請求項１〜４のいずれかに記載されたレンジフード。
【発明の詳細な説明】
【技術分野】
【０００１】
本発明は、調理器の近傍に設置され調理器による加熱調理で発生した油煙等を回収し排気するレンジフード、詳しくは調理器を照らす照明の消灯制御に関する。
【背景技術】
【０００２】
従来から、フードと、フードに設けた排気ファンと、調理器を照らす照明を備え、調理器の近傍に設置され調理器による加熱調理で発生した油煙等を回収し排気すると共に、調理器による加熱調理時に照明で調理器を照らすことで調理をやり易くしたレンジフードが提案されている。
特許文献１には排気ファンの動作が開始すると照明が点灯し、排気ファンの動作が停止すると照明が消灯するようにしたレンジフードが提案されている。
【０００３】
特許文献２には排気ファンの動作が停止してから一定の時間経過後に照明が消灯するようにしたレンジフードが提案されている。
【先行技術文献】
【特許文献】
【０００４】
【特許文献１】特開２００５−１６６５０７号公報
【特許文献２】特開２０１５−２２４８２１号公報
【発明の概要】
【発明が解決しようとする課題】
【０００５】
特許文献１で開示されたレンジフードによれば、照明は排気ファンの動作と連動して点灯、消灯するので、照明を点灯、消灯する手間がかからないが、排気ファンの動作が停止すると照明が消灯するので、調理器の上での調理品の後処理がやりずらい。例えば、調理鍋から器への盛り付けがやり難い。
【０００６】
特許文献２で開示されたレンジフードによれば、排気ファンの動作が停止してから一定時間だけ照明が点灯しているので、調理器の上での調理品の後処理がやり易いが、調理器の上での調理品の後処理をしない場合は、照明は無駄に点灯し、電力を無駄に消費してしまう。
【０００７】
この様に、照明を備えた従来のレンジフードによれば、使用者の要求を満足するように照明を消灯することができないことがある。
【０００８】
本発明は、従来の課題を解決するためになされたもので、その目的は、使用者の要求を満足するように照明を消灯できるレンジフードを提供することである。
【課題を解決するための手段】
【０００９】
本発明のレンジフードは、フードと、排気ファンと、照明と、前記照明を点灯、消灯、前記排気ファンを駆動する運転制御部、および照明の点灯、消灯を行う照明スイッチを有したレンジフードであって、前記運転制御部は、第１の制御モードと第２の制御モードを備えると共に、前記照明スイッチは所定の切り替え操作を行うことで前記各制御モードを切り替え可能とするものであって、前記第１の制御モードは、前記排気ファンが駆動している状態で、前記レンジフードが運転状態で点灯している照明を、レンジフード運転停止信号を受信してから消灯遅延時間経過後に前記排気ファンの停止と同時に自動で消灯し、前記第２の制御モードは、前記レンジフードが運転状態で点灯している照明を、レンジフード運転停止信号に関係なく手動操作で消灯し、切替え操作により前記第１の制御モードと前記第２の制御モードのいずれかの制御モードを選択して照明を消灯するようにしたことを特徴とするレンジフードである。
【００１０】
このレンジフードによれば、レンジフード運転停止信号によりレンジフードの運転が停止した後消灯遅延時間だけ照明を継続して点灯し、その後自動で消灯したり、レンジフードの運転停止に関係なく、使用者の操作で照明を消灯することができるから、使用者の要求を満足するように照明を消灯できる。
【００１１】
本発明のレンジフードは、フードと、排気ファンと、照明と、前記照明を点灯、消灯、前記排気ファンを駆動する運転制御部、および照明の点灯、消灯を行う照明スイッチを有したレンジフードであって、前記運転制御部は、第２の制御モードと第３の制御モードを備えると共に、前記照明スイッチは所定の切替え操作を行うことで前記各制御モードを切り替え可能とするものであって、
前記第２の制御モードは、前記レンジフードが運転状態で点灯している照明を、レンジフード運転停止信号に関係なく手動操作で消灯し、前記第３の制御モードは、前記レンジフードが運転状態で点灯している照明を、レンジフード運転停止信号を受信すると直ちに自動で消灯し、切替え操作により前記第２の制御モードと前記第３の制御モードのいずれかの制御モードを選択して照明を消灯するようにしたことを特徴とするレンジフードとすることもできる。
【００１２】
このレンジフードによれば、レンジフードの運転停止に関係なく、使用者の
操作で照明を消灯したり、レンジフードの運転が停止すると直ちに照明を自動で消灯することができるから、使用者の要求を満足するように照明を消灯できる。
【００１３】
本発明のレンジフードは、フードと、排気ファンと、照明と、前記照明を点灯、消灯、前記排気ファンを駆動する運転制御部、および照明の点灯、消灯を行う照明スイッチを有したレンジフードであって、前記運転制御部は、第１の制御モードと第２の制御モードと第３の制御モードを備えると共に、前記照明スイッチは所定の切替え操作を行うことで前記各制御モードを切り替え可能とするものであって、前記第１の制御モードは、前記排気ファンが駆動している状態で、前記レンジフードが運転状態で点灯している照明を、レンジフード運転停止信号を受信してから消灯遅延時間経過後に前記排気ファンの停止と同時に自動で消灯し、前記第２の制御モードは、前記レンジフードが運転状態で点灯している照明を、レンジフード運転停止信号に関係なく手動操作で消灯し、前記第３の制御モードは、前記レンジフードが運転状態で点灯している照明を、レンジフード運転停止信号を受信すると直ちに自動で消灯し、切替え操作により前記第１の制御モードと前記第２の制御モードと前記第３の制御モードのいずれか一つの制御モードを選択して照明を消灯するようにしたことを特徴とするレンジフードとすることもできる。
【００１４】
このレンジフードによれば、レンジフード運転停止信号によりレンジフードの運転が停止した後消灯遅延時間だけ照明を継続して点灯し、その後自動で消灯したり、レンジフードの運転停止に関係なく、使用者の操作で照明を消灯したり、レンジフードの運転が停止すると直ちに照明を自動で消灯することができるから、使用者の要求を満足するように照明を消灯できる。
【００１５】
本発明の各レンジフードにおいては、前記照明スイッチによる前記各制御モードの切り替えに伴って、前記各制御モード毎に異なる設定音を発生する設定音発生手段を備えることで、各制御モードの設定にあたりどのモードに設定したのか音で確認することができる。
【００１６】
本発明の各レンジフードにおいては、前記照明スイッチは所定の切替え操作を行うことで、前記各制御モードが順送りで切替わるようにすることができる。これにより、制御モードの切替え操作が容易となり、使用者にとって使い易い。
【発明の効果】
【００１７】
本発明のレンジフードによれば、使用者の要求を満足するように照明を消灯できる。
【図面の簡単な説明】
【００１８】
【図１】本発明の実施の形態を示すレンジフードと調理器を概略的に示す正面図である。
【図２】レンジフードの運転操作部の拡大正面図である。
【図３】レンジフードの運転制御回路図である。
【発明を実施するための形態】
【００１９】
本発明のレンジフードの実施の形態を図１に基づいて説明する。図１はレンジフードと調理器を概略的に示す正面図である。
レンジフード１はフード２と、排気ファン３と、運転操作部４と、照明５等を備えている。
フード２は調理器６の近傍、例えば図１に示す通り調理器６の上方に設置される。排気ファン３はファン３ａとファン３ａを回転駆動するモータ３ｂを有している。そしてモータ３ｂでファン３ａを回転駆動することで排気ファン３が駆動する。排気ファン３が駆動することで、調理器６による加熱調理で発生した油煙などをフード２内に回収し屋外などに排気する。
【００２０】
運転操作部４は運転スイッチ４０と、風量スイッチ４１と、タイマースイッチ４２と、照明スイッチ４３等を有する。
照明５は調理器６を照らす。照明５としてはＬＥＤランプを用いているが、これに限ることはない。
【００２１】
調理器６は調理器スイッチ７をオンすることで調理動作開始し、調理器スイッチ７をオフすることで調理動作停止する。つまり、調理器スイッチ７は調理動作開始信号と調理動作停止信号を調理器内部に備える制御部（図示せず）へ出力する。調理動作開始信号により調理器６は調理動作を開始し、調理動作停止信号により調理器６は調理動作を停止する。
【００２２】
運転操作部４を図２に基づいて説明する。図２は運転操作部４の拡大正面図である。
運転スイッチ４０はレンジフード運転開始信号とレンジフード運転停止信号を運転制御部８（図３参照）に出力する。例えば、レンジフード１が運転停止状態で運転スイッチ４０を押すこと（操作すること）でレンジフード運転開始信号を運転制御部８に出力する。
これと同時にランプ４０ａが点灯し、レンジフード1が運転状態であることを使用者が知ることができるようにしてある。
レンジフード運転状態で運転スイッチ４０を押すこと（操作すること）でレンジフード運転停止信号を運転制御部８に出力する。これと同時にランプ４０ａが消灯し、レンジフード1が停止状態であることを使用者が知ることができるようにしてある。
この様に、運転スイッチ４０はレンジフード運転開始信号、レンジフード運転停止信号を出力する手段である。運転スイッチを二つとし一方をレンジフード運転開始信号を出力するものとし、他方をレンジフード運転停止信号を出力するものとしても良い。
つまり、運転スイッチ４０はレンジフード運転開始信号を出力する手段、レンジフード運転停止信号を出力する手段である。
【００２３】
運転制御部８は図３に示すように、運転スイッチ４０、風量スイッチ４１、タイマースイッチ４２、照明スイッチ４３等からの信号に基づき排気ファン３（モータ３ｂ）を駆動、停止し、照明５を点灯、消灯する。
【００２４】
風量スイッチ４１は排気ファン３の風量を増減する信号を運転制御部８に出力する。つまり、風量スイッチ４１を押すことで排気ファン３の風量を弱、中、強とする信号を運転制御部８に出力する。
風量スイッチ４１を押して弱の信号を運転制御部８に出力すると、運転制御部８はモータ３ｂを低速回転し、排気ファン３の風量を弱とする。この時第１ランプ４１ａが点灯し、弱の信号を出力していることを使用者が知ることができるようにしてある。
弱の信号を運転制御部８に出力している状態で風量スイッチ４１を押して中の信号を運転制御部８に出力すると、運転制御部８はモータ３ｂを中速回転し、排気ファン３の風量を中とする。この時は第１ランプ４１ａと第２ランプ４１ｂが点灯し、中の信号を出力していることを使用者が知ることができるようにしてある。
中の信号を運転制御部８に出力している状態で風量スイッチ４１を押して強の信号を運転制御部８に出力すると、運転制御部８はモータ３ｂを高速回転し、排気ファン３の風量を強とする。この時は第１ランプ４１ａと第２ランプ４１ｂと第３ランプ４１ｃが点灯し、強の信号を出力していることを使用者が知ることができるようにしてある。
風量スイッチ４１による排気ファン３の風量の増減はレンジフードの運転中に行うことができる。
【００２５】
タイマースイッチ４２は、レンジフード運転停止信号が運転制御部８に入力されてから排気ファン３を停止するまでの時間、つまり、レンジフード運転停止信号が運転制御部８に入力されてから排気ファン３を継続して駆動する時間である排気ファン３の停止遅延時間を設定する。
これにより、排気ファン３は停止遅延機能を有する。
例えば、タイマースイッチ４２を押すことで運転制御部８に第１停止遅延時間（例えば３分）を設定する。これとともに第１ランプ４２ａを点灯する。これによりレンジフード運転停止信号が運転制御部８に入力されてから３分間は排気ファン３が継続して駆動し、３分経過後に排気ファン３が停止するようにする。排気ファンが停止すると、第１ランプ４２ａは消灯する。
【００２６】
第１停止遅延時間を設定している状態（第１ランプ４２ａでが点灯している状態）でタイマースイッチ４２を押すと第２停止遅延時間（例えば１５分）を運転制御部８に設定する。これとともに第１ランプ４２ａを消灯して第２ランプ４２ｂを点灯する。これによりレンジフード運転停止信号が運転制御部８に入力されてから１５分間は排気ファン３が継続して駆動し、１５分経過後に排気ファン３が停止するようにする。排気ファン３が停止すると、第２ランプ４２ｂは消灯する。
【００２７】
第２停止遅延時間を設定している状態（第２ランプ４２ｂが点灯している状態）でタイマースイッチ４２を押すと第３停止遅延時間（例えば３０分）を運転制御部８に設定する。これとともに第２ランプ４２ｂを消灯して第３ランプ４２ｃを点灯する。これによりレンジフード運転停止信号が運転制御部８に入力されてから３０分間は排気ファン３が継続して駆動し、３０分経過後に排気ファン３が停止するようにする。排気ファンが停止すると、第３ランプ４２ｃは消灯する。
【００２８】
第３停止遅延時間を設定している状態（第３ランプ４２ｃが点灯している状態）でタイマースイッチ４２を押すと運転制御部８は第３停止遅延時間の設定を解除し、排気ファン３は停止遅延機能を有さないようにする。これによりレンジフード運転停止信号が運転制御部８に入力されると直ちに排気ファン３が停止する。これとともに第３ランプ４２ｃを消灯する。つまり、レンジフード運転中に第１、第２、第３ランプ４２ａ，４２ｂ，４２ｃが消灯している状態では排気ファン３の停止遅延機能を有さない。
【００２９】
つまり、タイマースイッチ４２は排気ファン３の停止遅延機能を設定したり、解除したりする手段である。
これらのタイマースイッチ４２の操作はレンジフード運転中に行うことができる。
図１、図２、図３に示すレンジフード１では運転制御部８が停止遅延機能を有するようにしたが、タイマーを用いても良い。
【００３０】
照明スイッチ４３は照明５を点灯、消灯するものである。
つまり、照明スイッチ４３は運転制御部８に入力されたレンジフード運転開始信号、レンジフード運転停止信号に基づいて照明５を点灯、消灯する状態と、各信号に関係なく照明スイッチ４３を操作することにより照明５を点灯、消灯する状態に切り替えできる。
例えば、照明スイッチ４３を長い時間（例えば、約３秒）押すと運転制御部８を第１の設定状態とし、かつ第１の設定音（例えば、ピピッの音）が鳴る。
この状態で、照明スイッチ４３を長い時間（例えば、約３秒）押すと運転制御部８を第２の設定状態とし、かつ第２の設定音（例えば、ピピピッの音）が鳴る。
この状態で、照明スイッチ４３を長い時間（例えば、約３秒）押すと運転制御部８の設定状態を解除し、照明スイッチ４３を押すことで照明５の点灯信号、消灯信号を運転制御部８に出力する状態とする。これとともに第３の設定音（例えば、ピーッの音）が鳴る。
【００３１】
運転制御部８が第１の設定状態であると、運転制御部８にレンジフード運転開始信号が入力されると排気ファン３が駆動し、同時に照明５は点灯する。レンジフード運転停止信号が入力されると同時に照明５は消灯する。タイマースイッチ４２で第１停止遅延時間、第２停止遅延時間、第３停止遅延時間が設定されている場合もレンジフード運転停止信号が入力されると同時に照明５は消灯する。
つまり、第１の設定状態とは、照明５がレンジフード運転開始信号により直ちに点灯し、レンジフード運転停止信号により直ちに消灯する状態である。
【００３２】
運転制御部８が第２の設定状態であると、運転制御部８にレンジフード運転信号が入力されると同時に照明５は点灯する。レンジフード運転停止信号が入力されるとタイマースイッチ４２による第１停止遅延時間又は、第２停止遅延時間又は、第３停止遅延時間経過後に照明５は消灯する。タイマースイッチ４２で設定した第１停止遅延時間、第２停止遅延時間、第３停止遅延時間が照明５を消灯する時の第１消灯遅延時間、第２消灯遅延時間、第３消灯遅延時間である。
つまり、第２の設定状態とは、照明５がレンジフード運転開始信号により直ちに点灯し、レンジフード運転停止信号を受信してから設定した消灯遅延時間経過後に消灯する状態である。
タイマースイッチ４２により第１停止遅延時間（第１消灯遅延時間）、第２停止遅延時間（第２消灯遅延時間）、第３停止遅延時間（第３消灯遅延時間）のいずれも設定されていない場合はレンジフード運転停止信号が入力されると直ちに照明５は消灯する。
【００３３】
運転制御部８が照明５の設定を解除した状態であると、照明５はレンジフード運転開始信号、レンジフード運転停止信号を受信しても点灯、消灯することがなく、照明スイッチ４３の操作により点灯、消灯する。例えば、照明５が消灯している状態で短い時間だけ照明スイッチ４３を押すと点灯信号を運転制御部８に出力し、照明５は点灯する。照明５が点灯している状態で短い時間だけ照明スイッチ４３を押すと消灯信号を運転制御部８に出力し、照明５は消灯する。
つまり、設定解除状態とは、レンジフード運転開始信号、レンジフード運転停止信号に関係なく照明５を手動操作で点灯、消灯する状態である。
【００３４】
この様であるから、レンジフードが運転状態（排気ファン３が駆動している状態）で点灯している照明３を消灯する制御モードは次の３つの制御モードがあり、いずれか一つの制御モードを選択することができる。
第１の制御モードは、レンジフード運転停止信号を受信してから消灯遅延時間（タイマースイッチ４２で設定した停止遅延時間）経過後に照明５を消灯する。つまり、第２の設定状態を指すもので、消灯遅延機能を有する。
この場合は、照明５は排気ファン３の停止遅延の時間と同じ時間だけ点灯状態を維持し、排気ファン３の遅延駆動が終了すると同時に照明５は消灯する。
【００３５】
第２の制御モードは、レンジフード運転停止信号を受信後に照明５は消灯しないで点灯状態を保持する。つまり、照明の設定解除状態を指す。
この場合は、照明スイッチ４３を手動操作して照明５を消灯する。
【００３６】
第３の制御モードは、レンジフード運転停止信号を受信すると直ちに照明５を消灯する。つまり、第１の設定状態を指す。
この場合は、排気ファン３のみが停止遅延時間だけ継続駆動する。
【００３７】
この様に、照明５を３つの制御モードのいずれか一つで選択的に消灯することができるので、使用者の要求を満足するように照明５を消灯できる。
また、第２の制御モードを選択すれば排気ファン３の停止、駆動に関係なく使用者が照明を必要とする時に点灯し、照明を必要としない時には消灯することができる。
【００３８】
また、排気ファン３の停止遅延時間の設定と照明５の消灯遅延時間の設定は一つのタイマースイッチ４２で行うので、その時間設定を簡単に行うことができると共に、時間設定する構成を簡単にできる。
この場合は、排気ファン３の停止遅延時間と照明５の消灯遅延時間は同一で、排気ファン３の停止と同時に照明５が停止する。
【００３９】
点灯している照明５を消灯する制御モードは一つの照明スイッチ４３を複数回押すことで設定し、音により設定した制御モードを判別できるので、スイッチを複数個用意する必要がなく一つのスイッチでよいため、使用者が迷うことなくスイッチを操作して制御モードを簡単で、正確に設定できる。
【００４０】
レンジフード１の運転制御部８は、風量スイッチ４１による排気ファン３の風量、タイマースイッチ４２による停止遅延時間、照明スイッチ４３による制御モードを記憶し、次回レンジフード１を運転開始する時は、記憶している風量、停止遅延時間、制御モードでレンジフード１を運転するようにしてある。
これにより、レンジフード１を運転開始する毎に風量、停止遅延時間、制御モードを設定する手間が省けて、使い勝手が良い。
【００４１】
レンジフード運転開始信号、レンジフード運転停止信号、風量の増減信号、停止遅延時間、制御モードの選択信号は運転スイッチ４０、風量スイッチ４１、タイマースイッチ４２、照明スイッチ４３の手動操作ではなく、リモートコントローラ等で運転制御部８と遠隔した場所から入力するようにしても良い。
【００４２】
図１、図２、図３に示すレンジフード１は、排気ファン３の停止遅延時間と照明５の消灯遅延時間を一つのタイマースイッチ４２で設定するようにしたが、排気ファン３の停止遅延時間と照明５の消灯遅延時間を別々の設定手段でそれぞれ設定するようにしても良い。
例えば、排気ファン用タイマースイッチと照明用タイマースイッチを設け、排気ファン５の停止遅延時間と照明５の消灯遅延時間を別々に設定する。
この様にすれば、照明５を第１の制御モードで消灯する場合、レンジフード運転停止信号を受信すると排気ファン３は停止遅延時間経過後に停止し、照明５は消灯遅延時間経過後に消灯するので、排気ファン３の停止遅延時間と照明５の消灯遅延時間を異ならせることで、排気ファン３と照明５を各々使用者の好みや使用条件に応じた最適時間だけ遅延して停止、消灯することが出来る。
この場合は、照明５の消灯遅延時間は排気ファン３の停止遅延時間と同じ，又は短時間とすることが好ましい。
例えば、照明５の消灯遅延時間を排気ファン３の停止遅延時間よりも短時間とし、照明５が消灯して後に排気ファン３が停止するようにする。
この場合の消灯遅延時間は一つのパターン（一つの消灯遅延時間）であり、排気ファン３の停止遅延時間の設定に依らず所定の遅延時間、例えば３分とする。
これに限らず、照明５の消灯遅延時間を複数パターン、例えば３分，５分，７分等、あらかじめ設定された複数の時間から選べるようにしても良い。この場合、排気ファン５の停止遅延時間を長い時間の設定にしているほど照明５の消灯遅延時間も連動して３パターンのうちから消灯遅延時間が長いものが選択されるものとしても良い。例えば、停止遅延時間を３分に設定している時に照明５を第１制御モードで消灯する場合は連動して消灯遅延時間が３分に設定され、同様に停止遅延時間が１５分の時は消灯遅延時間が５分、停止遅延時間が３０分の時は消灯遅延時間が７分となるようにしても良い。
【００４３】
また、排気ファン３の停止遅延時間を設定せずに照明５の消灯遅延時間のみを設定してもよい。
この場合は、第１の制御モードであると、レンジフード運転停止信号を受信したら排気ファン３は直ちに停止し、消灯遅延時間経過後に照明５が消灯する。
第２の制御モードであると、レンジフード運転停止信号を受信したら排気ファン３は直ちに停止するが、照明５は消灯せずに点灯し続ける。
第３の制御モードであると、レンジフード運転停止信号を受信したら排気ファン３は直ちに停止し、照明５は直ちに消灯する。
なお、排気ファン３は停止遅延機能を有さないようにし、照明５は消灯遅延機能を有するようにすることで、先に述べたと同様の第１、第２、第３の制御モードを有するようにできる。
【００４４】
すなわち、本発明におけるレンジフードが運転状態（排気ファン３が駆動している状態）で点灯している照明３をレンジフード運転停止信号を受信後に消灯する制御モードは次の３つの制御モードで、いずれか一つの制御モードを選択することができる。
第１の制御モードは、レンジフード運転停止信号を受信してから消灯遅延時間経過後に照明５を消灯する。つまり、消灯遅延制御モード。
第２の制御モードは、レンジフード運転停止信号を受信後に照明５は消灯しないで点灯状態を保持する。つまり、照明５は手動操作で消灯する。
第３の制御モードは、レンジフード運転停止信号を受信すると直ちに照明５を消灯する。
【００４５】
図１、図２、図３に示すレンジフード１は調理器６と連動して運転制御される。
例えば、調理器６の調理器スイッチ７を操作することで発信される調理動作開始信号と、調理動作停止信号をレンジフード１（運転制御部８）に伝達する信号伝達手段９を有する。
信号伝達手段９は、調理器６に設けた信号発信器９ａとレンジフード１に設けた信号受信器９ｂを有する。信号伝達手段９はこの構成に限ることはない。
つまり、調理器スイッチ７がレンジフード１におけるレンジフード運転信号、レンジフード運転停止信号を出力する手段に相当する。
【００４６】
調理器６とレンジフード１の運転動作を説明する。
調理器スイッチ７をオンすると調理器６が調理動作を開始し、信号発信機９ａが調理動作開始信号を発信し、信号受信機９ｂが受信して運転制御部８に送る。
運転制御部８は調理動作開始信号が入力されることで排気ファン３を駆動開始しレンジフード１は運転状態となる。つまり、運転制御部８は調理開始信号をレンジフード運転開始信号として運転スイッチ４０を押したと同様に排気ファン３を駆動する。
風量スイッチ４１、タイマースイッチ４２はレンジフード運転開始信号が入力された場合と同様に操作することができる。
【００４７】
調理器スイッチ７をオフすると調理器６が調理動作を停止し、信号発信機９ａが調理動作停止信号を発信し、信号受信機９ｂが受信して運転制御部８に送る。
運転制御部８は調理動作停止信号が入力されることでタイマースイッチ４２による設定状態に基づいて排気ファン３を停止し、レンジフード１は運転停止状態となる。つまり、運転制御部８は調理動作停止信号をレンジフード運転停止信号として運転スイッチ４０を操作したと同様に排気ファン３を停止する。
【００４８】
この様であるから、調理器６を操作することでレンジフード１は自動的に運転、停止するので、調理する人は調理器スイッチ７を操作すれば良く、操作が簡単で、調理時にレンジフード１の操作を忘れることがない。
【００４９】
照明５は次のように点灯、消灯する。
運転制御部８が第１の設定状態の時は、運転制御部８に調理動作開始信号が入力されると照明５は点灯し、調理動作停止信号が入力されると照明５は直ちに消灯する。
これにより、調理器６の点火（調理動作開始）、消火（調理動作停止）に合わせて照明５は点灯、消灯する。
【００５０】
運転制御部８が第２の設定状態の時は、運転制御部８に調理動作開始信号が入力されると照明５は点灯し、調理動作停止信号が入力されると照明５はタイマースイッチ４２で設定した第１消灯遅延時間、第２消灯遅延時間、第３消灯遅延時間のいずれかの時間経過後に消灯する。
これにより、調理器６の点火に合わせて照明５は点灯し、調理器６の消火後消灯遅延時間経過すると照明５は消灯する。
【００５１】
照明スイッチ４３の操作により運転制御部８が設定解除状態の時は、運転制御部８に調理動作開始信号、調理動作停止信号が入力されても照明５は点灯、消灯することはなく、照明スイッチ４３を手動で操作することで照明５は点灯、消灯する。
【００５２】
この様であるから、レンジフード１が運転状態（排気ファン３が駆動している状態）で点灯している照明３を消灯する制御モードは、レンジフード１を単独で運転制御する場合と同様に次の３つの制御モードがあり、いずれか一つの制御モードを選択することができる。
第１の制御モードは、調理動作停止信号を受信してから消火遅延時間経過後に照明５を消灯する。
これにより、調理器６が調理動作を停止し後に照明５は消火遅延時間だけ継続して点灯するので、調理器６の上での調理品の後処理がやり易い。この時排気ファン３も停止遅延時間だけ継続して駆動しているので調理器６から発生している調理後の油煙を排気出来、調理品を使用者が上から目視確認し易い。
【００５３】
第２の制御モードは、調理動作停止信号を受信後に照明５を消灯しないで点灯状態を保持する。照明スイッチ４３を手動操作して照明５を消灯する。
これにより、使用者の好みに応じて照明５を点灯、消灯することができ、使用者の幅広い好みに合わせて照明５を点灯、消灯させることができる。
【００５４】
第３の制御モードは、調理動作停止信号を受信すると直ちに照明５を消灯する。これにより、照明５を無駄に点灯して電気を消費することがない。
【００５５】
図１、図２、図３に示すレンジフード１は調理器６と連動して運転制御するが、これに限ることはなくレンジフード１を調理器６とは関係なく単独で運転制御するようにしても良い。
【００５６】
以上の実施の形態では、運転制御部８が照明５の第１又は、第２の設定状態である時に、その運転制御部８にレンジフード運転開始信号が入力されると排気ファン３が駆動し、同時に照明５が点灯するようにしたが、これに限らず、照明５の点灯はレンジフード運転開始信号に依存しない構成としても良い。つまり、運転制御部８が照明５の第１又は、第２の設定状態である時に、その運転制御部８にレンジフード運転開始信号が入力されると排気ファン３は駆動するが、照明５は点灯せず照明５は手動操作で点灯するようにし、照明５の消灯はレンジフード運転停止信号に依り各実施の形態と同様とする。
【００５７】
また、以上の実施の形態ではレンジフードが運転状態（排気ファン３が駆動している状態）で点灯している照明３を消灯する制御モードは３つの制御モードがあり、いずれか一つの制御モードを選択することができるとしたが、これに限らず、制御モードは２つの制御モードがあり、その２つのうちいずれか一方の制御モードを選択することができるとものとしても良い。すなわち、例えば第１の制御モードと第２の制御モードがあり、いずれか一方の制御モードを選択することが可能な構成にしても良いし、第２の制御モードと第３の制御モードがあり、いずれか一方の制御モードを選択することが可能な構成にしても
良い。
【符号の説明】
【００５８】
１…レンジフード、２…フード、３…排気ファン、４…運転操作部、５…照明、６…調理器、７…調理器スイッチ、８…運転制御部、９…信号伝達手段、４０…運転スイッチ、４１…風量スイッチ、４２…タイマースイッチ、４３…照明スイッチ。
【図１】
2020128861.tif 000003
【図２】
2020128861.tif 000004
【図３】
2020128861.tif 000005